(57)【要約】【課題】筒形フィルタの着脱のためのメンテナンススペースを小さくし、保守管理をより簡単にできる気体清浄器及びポンプ装置を提供すること。【解決手段】筒形フィルタ２０が着脱可能に装着される気体清浄器であって、通気口３２が形成されたボディ３０の壁面の部位であるシール面３３と、一方の端板２１との間に挟まれたパッキン４０を圧縮してシールするように、筒形フィルタ２０を他方の端板２２側から押圧すべく、キャップ５０には、内側中央部で棒状に突起した形状であると共に、少なくとも一部に軸方向への弾性を有する棒状芯部５５が設けられ、他方の端板２２の中央部には、キャップ５０をボディ３０の筒状部３１に装着する際に棒状芯部５５の根元側よりも小径に形成された先端部５５ａが嵌って、筒形フィルタ２０の芯出しをするように案内する穴部２７が設けられている。【選択図】図１
2008163906.tif 000002
【特許請求の範囲】
【請求項１】
一対の端板の間に濾材が組み込まれた筒形フィルタと、該筒形フィルタの一方側が挿入される筒状部及び該筒形フィルタの内側空間に連通する通気口を備えるボディと、該ボディの筒状部に固定され、前記筒形フィルタの他方側を覆うキャップとを備え、前記筒形フィルタが着脱可能に装着される気体清浄器であって、
前記通気口が形成された前記ボディの壁面の部位であるシール面と、前記筒形フィルタの一方の端板との間に挟まれたパッキンを圧縮してシールするように、前記筒形フィルタを他方の端板側から押圧すべく、前記キャップには、内側中央部で棒状に突起した形状であると共に、少なくとも一部に軸方向への弾性を有する棒状芯部が設けられ、
前記他方の端板の中央部には、前記キャップを前記ボディの筒状部に装着する際に前記棒状芯部の根元側よりも小径に形成された先端部が嵌って、前記筒形フィルタの芯出しをするように案内する穴部が設けられていることを特徴とする気体清浄器。
【請求項２】
前記棒状芯部はシリコーンゴムによってキャップ本体とは別体に形成され、キャップ本体の内側中央部に着脱可能に装着されていることを特徴とする請求項１記載の気体清浄器。
【請求項３】
前記キャップの前記ボディの筒状部への固定は、該ボディに対して前記キャップを回転させるねじ込み動作によるように、前記ボディと前記キャップのうち、一方が雄ネジに相当し、他方が雌ネジに相当するように設けられていることを特徴とする請求項１又は２記載の気体清浄器。
【請求項４】
前記ボディの筒状部が水平方向へ開口し、前記筒形フィルタを水平方向に挿入することで装着する横置き型の気体清浄器であって、
前記ボディの筒状部の内側面部に、前記筒形フィルタをその外周部に当接して支持する支持部が設けられていることを特徴とする請求項１、２又は３記載の気体清浄器。
【請求項５】
前記ボディのシール面が設けられた壁面に、前記一方の端板の外周に嵌って、前記筒形フィルタの取り付け位置を案内する外周案内部が設けられたことを特徴とする請求項１、２、３又は４記載の気体清浄器。
【請求項６】
気体を吸引する吸気口及び気体を吐出する排気口が設けられたポンプ本体を備えるポンプ装置であって、
前記請求項１、２、３、４又は５記載の気体清浄器が、前記吸気口に前記ボディの前記通気口が接続されることで、前記ポンプ本体に装着されたことを特徴とするポンプ装置。
【請求項７】
気体を吸引する吸気口及び気体を吐出する排気口が設けられたポンプ本体を備えるポンプ装置であって、
前記請求項１、２、３、４又は５記載の気体清浄器が、前記排気口に前記ボディに設けられた前記筒形フィルタの外側空間に連通する排気導入口が接続されることで、前記ポンプ本体に装着されたことを特徴とするポンプ装置。
【発明の詳細な説明】
【技術分野】
【０００１】
本発明は、筒形フィルタが着脱可能に装着される気体清浄器及びその気体清浄器を備えるポンプ装置に関する。
【背景技術】
【０００２】
ポンプ装置に使用される気体清浄器としては、図７に示すような棒軸状ステー６０を用いて筒形フィルタ２０を装着する構造のものがある。
筒形フィルタ２０には、一対の端板２１、２２の間に濾材２３が組み込まれて両端がシールされている。この筒形フィルタ２０の一方側２０ａが挿入されるボディ６１には、筒状部及び筒形フィルタ２０の内側空間２５に連通する通気口６４が設けられている。また、キャップ６２は、ボディ６１の筒状部に固定され、筒形フィルタ２０の他方側２０ｂを覆う形状に設けられている。
【０００３】
そして、棒軸状ステー６０が、ボディ６１及びキャップ６２の実質的な軸心と同心に軸方向へ延設されている。棒軸状ステー６０の一方側がボディ６１側に固定され、他方側が筒形フィルタ２０の装着されない状態で自由端となるように設けられている。
この棒軸状ステー６０が筒形フィルタ２０の内部を貫通するように、その筒形フィルタ２０が、ボディ６１内に挿入される。そして、その棒軸状ステー６０の先端部に螺合する固定用ネジ６３によって、筒形フィルタ２０が、キャップ６２を介して通気口６４側へ押圧・シールされて装着される。
【０００４】
以上のような棒軸状ステー６０を備える構造の気体清浄器（エアクリーナ）は、従来から知られている（特許文献１参照）。
しかし、このような気体清浄器では、筒形フィルタ２０を棒軸状ステー６０から完全に抜け出さないと、その筒形フィルタ２０の交換を行うことができない。
【特許文献１】実開平５−２１１６０号公報（図１）
【発明の開示】
【発明が解決しようとする課題】
【０００５】
気体清浄器及びポンプ装置に関して解決しようとする問題点は、棒軸状ステーを介して筒形フィルタを装着する場合、その筒形フィルタの着脱のためのメンテナンススペースが大きくなり、保守管理が簡単にできない点にある。
そこで本発明の目的は、筒形フィルタの着脱のためのメンテナンススペースを小さくし、保守管理をより簡単にできる気体清浄器及びポンプ装置を提供することにある。
【課題を解決するための手段】
【０００６】
本発明は、上記目的を達成するために次の構成を備える。
本発明にかかる気体清浄器の一形態によれば、一対の端板の間に濾材が組み込まれた筒形フィルタと、該筒形フィルタの一方側が挿入される筒状部及び該筒形フィルタの内側空間に連通する通気口を備えるボディと、前記ボディの筒状部に固定され、前記筒形フィルタの他方側を覆うキャップとを備え、前記筒形フィルタが着脱可能に装着される気体清浄器であって、前記通気口が形成された前記ボディの壁面の部位であるシール面と、前記筒形フィルタの一方の端板との間に挟まれたパッキンを圧縮してシールするように、前記筒形フィルタを他方の端板側から押圧すべく、前記キャップには、内側中央部で棒状に突起した形状であると共に、少なくとも一部に軸方向への弾性を有する棒状芯部が設けられ、前記他方の端板の中央部には、前記キャップを前記ボディの筒状部に装着する際に前記棒状芯部の根元側よりも小径に形成された先端部が嵌って、前記筒形フィルタの芯出しをするように案内する穴部が設けられている。
【０００７】
また、本発明にかかる気体清浄器の一形態によれば、前記棒状芯部はシリコーンゴムによってキャップ本体とは別体に形成され、キャップ本体の内側中央部に着脱可能に装着されていることを特徴とすることができる。
また、本発明にかかる気体清浄器の一形態によれば、前記キャップの前記ボディの筒状部への固定は、該ボディに対して前記キャップを回転させるねじ込み動作によるように、前記ボディと前記キャップのうち、一方が雄ネジに相当し、他方が雌ネジに相当するように設けられていることを特徴とすることができる。
【０００８】
また、本発明にかかる気体清浄器の一形態によれば、前記ボディの筒状部が水平方向へ開口し、前記筒形フィルタを水平方向に挿入することで装着する横置き型の気体清浄器であって、前記ボディの筒状部の内側面部に、前記筒形フィルタをその外周部に当接して支持する支持部が設けられていることを特徴とすることができる。
また、本発明にかかる気体清浄器の一形態によれば、前記ボディのシール面が設けられた壁面に、前記一方の端板の外周に嵌って、前記筒形フィルタの取り付け位置を案内する外周案内部が設けられたことを特徴とすることができる。
【０００９】
また、本発明にかかるポンプ装置の一形態によれば、気体を吸引する吸気口及び気体を吐出する排気口が設けられたポンプ本体を備えるポンプ装置であって、前記気体清浄器が、前記吸気口に前記ボディの前記通気口が接続されることで、前記ポンプ本体に装着されたことを特徴とすることができる。
また、本発明にかかるポンプ装置の一形態によれば、気体を吸引する吸気口及び気体を吐出する排気口が設けられたポンプ本体を備えるポンプ装置であって、前記気体清浄器が、前記排気口に前記ボディに設けられた前記筒形フィルタの外側空間に連通する排気導入口が接続されることで、前記ポンプ本体に装着されたことを特徴とすることができる。
【発明の効果】
【００１０】
本発明にかかる気体清浄器及びポンプ装置によれば、筒形フィルタの着脱のためのメンテナンススペースを小さくし、保守管理をより簡単にできる特別有利な効果を奏する。
【発明を実施するための最良の形態】
【００１１】
以下、本発明にかかる気体清浄器及びその気体清浄器が装着されたポンプ装置について最良の形態例を添付図面（図１〜６）に基づいて詳細に説明する。
図１は気体清浄器の形態例を側方から見た断面図である。図２は図１の気体清浄器が装着されたポンプ装置全体の形態例を示す斜視図である。
【００１２】
この気体清浄器１０は、内部に筒形フィルタ２０が着脱可能に装着・内蔵され、ポンプ装置の吸気側に取り付けられるものである。
筒形フィルタ２０は、一対の端板２１、２２の間に濾材２３が組み込まれて設けられている。例えば、プリーツ状に折られた濾紙によって筒形の濾材２３が構成され、その濾材２３が、有孔板によって筒状に形成された内筒２４の外周を取り巻くように配され、その両端が各端板２１、２２で接着剤によって気密されて設けられる。気体は、筒形フィルタ２０の外側から内側へ流れる。なお、この気体清浄器１０が、気体の流れが反対の場合にも使用できるのは勿論である。
【００１３】
３０はボディであり、筒形フィルタ２０の一方側２０ａが挿入される筒状部３１及び筒形フィルタ２０の内側空間２５に連通する通気口３２を備える。このボディ３０は、ダイカスト等の型成形によって、量産できる形態となっている。
なお、本形態例のボディ３０は、基体部３４、スリーブ部３５、およびカバー部３６の各部品が連結されて構成されている（図４参照）。
さらに詳細には、基体部３４は略角筒状に形成され、スリーブ部３５は基体部３４側のベース部３５ａ（図４〜６参照）が角形で、延設された側が円筒形に形成されている。そして、そのスリーブ部３５のベース部３５ａが、ガスケット３７によって気密され、基体部３４に４隅のネジによって固定されている（図４〜６参照）。
また、基体部３４のスリーブ部３５が連結された側とは反対の側には、ガスケット３８（図４参照）によって気密される状態で、カバー部３６が連結されている。
【００１４】
５０はキャップであり、ボディ３０の筒状部３１に固定され、筒形フィルタ２０の他方側２０ｂを覆う。このキャップ５０は、底５２の有る筒体であるカップ形状を呈している。このキャップ５０も、ダイカスト等の型成形によって、量産できる形態となっている。
【００１５】
本形態例では、ボディ３０の筒状部３１の円周縁に、キャップ５０の円周縁が嵌まって固定されることで、両者が、内部空間を備えるケース状に一体化される。つまり、このボディ３０とキャップ５０によって、気体清浄器１０のケーシングが形成される。なお、ボディ３０の筒状部３１の円周縁は、スリーブ部３５の延設部として形成されている。
そして、この気体清浄器１０のケーシングは、図３に示すようにポンプ本体１２の吸気口１３に接続されるため、ポンプ装置の吸気ケースとなっている。
【００１６】
４０はパッキンであり、通気口３２が形成されたボディ３０の壁面の部位であるシール面３３と、一方の端板２１との間に挟まれ、圧縮されてシールをする。このパッキン４０は、円形平リング状に形成されて、一方の端板２１の端面に接着されている。
本形態例のパッキン４０にあっては、フェルト状の素材で設けられ、空気等の気体が清浄化された側へ、ダストを含んだ清浄化前の気体が洩れないように、シールしている。
【００１７】
５５は棒状芯部であり、筒形フィルタ２０を他方の端板２２側から押圧すべく、キャップ５０の内側中央部で棒状に突起した形状に設けられている。ぞして、その棒状芯部５５には、少なくとも一部に軸方向への弾性を有する。
このように棒状芯部５５が設けられているため、キャップ５０をボディ３０の筒状部３１に固定することで、その弾性によって、筒形フィルタ２０をシール面３３側へ適度な圧力で押圧することができる。従って、好適にシールができると共に、過度な圧力によるパッキン等の変形を防止して耐久性を向上できる。
【００１８】
２７は穴部であり、他方の端板２２の中央部に設けられ、キャップ５０をボディ３０の筒状部３１に装着する際に、棒状芯部５５の根元側よりも小径に形成された先端部５５ａが嵌って、筒形フィルタ２０の芯出しをするように案内する。
この穴部２７は、図１に示すように貫通されていてもよいし、貫通していない窪みであってもよい。つまり、棒状芯部５５の先端部５５ａが好適に嵌る形態の穴であればよい。また、この穴部２７は、一方の端板２１の開口２６に比べて、小さい直径の穴になっている。
【００１９】
４２は座金状パッキンであり、他方の端板２２の外端面と、棒状芯部５５の段部５５ｃとの間で挟圧されてシールをする部材になっている。この座金状パッキン４２は、他方の端板２２の端面に接着されている。
本形態例の座金状パッキン４２にあっては、フェルト状の素材で設けられ、空気等の気体が清浄化された側へ、ダストを含んだ清浄化前の気体が洩れないように、シールしている。
【００２０】
また、棒状芯部５５の段部５５ｃは、棒状芯部５５の軸棒本体５５ｂと先端部５５ａとの直径の差によって形成される部分であり、リング状の平面として形成されている。
この段部５５ｃは、座金状パッキン４２の一面（外面）に圧接することになるが、接触面積が小さい。このため、座金状パッキン４２に対して擦り合う動作（押圧しつつ軸芯を中心に回転する動作）が行なわれても、好適に滑って、両者が不適切に変形することはない。従って、その段部５５ｃと、座金状パッキン４２との間のシールは適切になされる。
【００２１】
また、本形態例の棒状芯部５５は、シリコーンゴムによってキャップ本体５１とは別体に形成され、キャップ本体５１の内側中央部に着脱可能に装着されている。さらに詳細には、キャップ本体５１の内側中央部に突起した被取付部５３に、棒状芯部５５の端に形成された凹部が嵌ることで、棒状芯部５５が固定されている。このように、別体することで、好適且つ安価に製造できる。
なお、この棒状芯部５５はこれに限定されるものではなく、前記の先端部５５ａ及び段部５５ｃの形状と弾性を有するものであれば、他の材質や形態であってもよいのは勿論である。但し、シリコーンゴムによる成形品によれば、耐久性や製造コストにおいて利点がある。
【００２２】
次に、本形態例におけるキャップ５０の前記ボディ３０の筒状部３１への固定手段について説明する。
図１及び５に示すように、ボディ３０に対して、キャップ５０を回転させるねじ込み動作によって固定できるように、ボディ３０とキャップ５０のうち、一方が雄ネジ３９に相当し、他方が雌ネジ５９に相当するように設けられている。
さらに詳細には、ボディ３０側が雄ネジ３９に相当し、キャップ５０側が雌ネジ５９に相当する。ボディ３０の筒状部３１を構成するスリーブ部３５の外側周面に雄ネジ３９が設けられている。また、キャップ５０の内側周面に雌ネジ５９が設けられている。
なお、４５はＯ−リング状のガスケットであり、ボディ３０とキャップ５０の連結部を気密する（図４参照）。
このような固定手段を用いることによって、キャップ５０の固定用に、他の部品を必要とせず、構成を簡素化できる。
【００２３】
また、本形態例の気体清浄器にあっては、ボディ３０の筒状部３１が水平方向へ開口し、筒形フィルタ２０を水平方向に挿入することで装着する横置き型になっている。
そして、図１、５及び６に示すように、３１ａは支持部であり、ボディ３０の筒状部３１の内側面部に、筒形フィルタ２０をその外周部に当接して支持するように設けられている。本形態例では、２つの支持部３１ａが、筒状部３１の延設側を形成するスリーブ部３５の内周面下側に、そのスリーブ部３５の一部として一体的に成形されている。図に示すように、支持部３１ａを複数に分割して極力小さく形成したのは、通気抵抗の上昇を防止するためである。
【００２４】
これよれば、筒形フィルタ２０をボディ３０内に挿入した際に、その筒形フィルタ２０が仮に保持される。このため、作業者は、片手で、筒形フィルタ２０の交換を行うことができる。従って、両手での筒形フィルタ２０の交換作業が難しい設置場所においても、好適に作業を行なうことができる。
【００２５】
また、図１及び６に示すように、３３ａは外周案内部であり、ボディ３０のシール面３３が設けられた壁面に、一方の端板２１の外周に嵌って、筒形フィルタ２０の取り付け位置を案内するように設けられている。
本形態例では、３つの外周案内部３３ａが、ボディ３０のシール面３３が設けられた壁面の円周３等分の位置に、基体部３４の一部として一体的に成形されている。
これによれば、筒形フィルタ２０を、取り付け位置へ好適に案内して、シール面３３についてパッキン４０を介して好適にシールできる。
【００２６】
次に、以上の構成を備える気体清浄器が取り付けられたポンプ装置を、図２及び３に基づいて説明する。
このポンプ装置は、気体を吸引する吸気口１３及び気体を吐出する排気口１５が設けられたポンプ本体１２を備える。
気体清浄器１０が、ポンプ本体１２の吸気口１３にボディ３０の通気口３２が接続されることで、ポンプ本体１２に装着されている。
このように気体清浄器１０が装着されることで、ポンプ本体１２へ清浄空気が供給され、ダストによる磨耗等が生じないようにポンプ本体１２を保護できる。
【００２７】
１１は排気側の気体清浄器である。これは、排気ケース内に筒形フィルタ２０が装着された形態に設けられている。
この排気側の気体清浄器１１は、ポンプ本体１２の排気口１５にボディ３０に設けられた筒形フィルタ２０の外側空間２８（図１及び図７参照）に連通する排気導入口１７が接続されることで、ポンプ本体１２に装着されている。
このように排気側の気体清浄器１１が装着されることで、ポンプ本体１２から排出される空気を清浄化して製品空気とし、接続される機器へ供給できる。これによれば、本発明のポンプ装置をブロア装置として好適に利用できる。
また、本発明のポンプ装置を真空ポンプ装置として使用する場合は、筒形フィルタ２０を装着しないで、排気ケースを消音器として使用すればよい。
【００２８】
図２に示すポンプ装置は、ベーン１２ａ（図３参照）を備えるロータリー式で、真空ポンプ装置として用いる形態となっている。このポンプ装置は、二台のポンプ本体１２が並設され、一台の電動モータ１８からなる駆動手段によって駆動される。また、このポンプ装置は、無給油式のポンプである。
【００２９】
以上、本発明につき好適な形態例を挙げて種々説明してきたが、本発明はこの形態例に限定されるものではなく、発明の精神を逸脱しない範囲内で多くの改変を施し得るのは勿論のことである。
【図面の簡単な説明】
【００３０】
【図１】本発明に係る気体清浄器の形態例を示す側方から見た断面図である。
【図２】図１の気体清浄器が装着されたポンプ装置の形態例を示す斜視図である。
【図３】気体清浄器とポンプ本体との接続状態を示す断面図である。
【図４】本発明に係る気体清浄器の形態例の斜視分解図である。
【図５】気体清浄器のボディに筒形フィルタを挿入した状態の斜視図である。
【図６】気体清浄器のボディに筒形フィルタを挿入した状態の正面図である。
【図７】比較技術を示す断面図である。
【符号の説明】
【００３１】
１０  気体清浄器
１１  排気側の気体清浄器
１２  ポンプ本体
１３  吸気口
１５  排気口
１７  排気導入口
２０  筒形フィルタ
２１  一方の端板
２２  他方の端板
２３  濾材
２５  内側空間
２７  穴部
２８  外側空間
３０  ボディ
３１  筒状部
３１ａ  支持部
３２  通気口
３３  シール面
３３ａ  外周案内部
３９  雄ねじ
４０  パッキン
５０  キャップ
５１  キャップ本体
５５  棒状芯部
５５ａ  先端部
５９  雌ねじ
【図１】
2008163906.tif 000003
【図２】
2008163906.tif 000004
【図３】
2008163906.tif 000005
【図４】
2008163906.tif 000006
【図５】
2008163906.tif 000007
【図６】
2008163906.tif 000008
【図７】
2008163906.tif 000009